(57)【要約】      （修正有）【課題】インクジェットプリンターを使用して使用者が独自の言葉を印刷して賞状等を発行することを可能にすると共に、それぞれの個性や好みや生活スタイルに適合したデザインを有し、インテリアとして部屋に飾ることに適した賞状等を発行することを可能にした賞状用の用紙や記念状用の用紙などを得る。【解決手段】インクジェット用紙のコート面１ａの一部に鳳凰模様の枠５や和風絞模様の縁取などを印刷したり、エンボス加工による凹凸模様を施したりした後に、箔を転写して金箔１１で表現した文字や銀箔の文字などを表示した賞状用の用紙１、又は記念状用の用紙とする。また、コート面の一部に印刷した猫の模様と、用紙の一部を型抜き加工して得た型抜切断部とで、猫の顔を表現した賞状用の用紙とする。そしてコート面１ａの３０％以上の面積を空白にする。【選択図】図１
0003129397.tif 000002
【実用新案登録請求の範囲】
【請求項１】
ベースとなる紙、フィルム又は布（以下単に「ベース紙等」という。）にコート面をコーティングしてなるインクジェット用紙の、前記コート面の一部に模様を印刷し、又は前記コート面の一部に型押しして凹凸の模様を浮き出させる加工（以下単に「エンボス加工」という。）を施すことにより凹凸模様を設け、
さらに前記コート面の一部に金箔、銀箔又はホログラム（以下単に「金箔等」という。）を転写することにより文字又は模様を表示し、
前記コート面の３０％以上の面積を空白にしたことを特徴とする賞状、表彰状、感謝状、記念状、認定書又は証書（以下単に「賞状等」という。）用の用紙。
【請求項２】
ベース紙等にコート面をコーティングしてなるインクジェット用紙の、前記コート面の一部に２色以上の色彩を有する模様を印刷し、前記コート面の３０％以上の面積を空白にしたことを特徴とする賞状等用の用紙。
【請求項３】
ベース紙等にコート面をコーティングしてなるインクジェット用紙の、前記コート面の一部にエンボス加工を施すことにより凹凸模様を設け、前記コート面の３０％以上の面積を空白にしたことを特徴とする賞状等用の用紙。
【請求項４】
ベース紙等にコート面をコーティングしてなるインクジェット用紙の前記コート面の一部に、模様を印刷すると共にエンボス加工を施すことにより凹凸模様を設け、前記コート面の３０％以上の面積を空白にしたことを特徴とする賞状等用の用紙。
【請求項５】
ベース紙等にコート面をコーティングしてなるインクジェット用紙の、前記コート面の一部に金箔等を転写することにより文字又は模様を表示し、前記コート面の３０％以上の面積を空白にしたことを特徴とする賞状等用の用紙。
【請求項６】
ベース紙等にコート面をコーティングしてなるインクジェット用紙の前記コート面の一部に、模様を印刷すると共にエンボス加工を施すことにより凹凸模様を設け、さらに前記コート面の一部に金箔等を転写することにより文字又は模様を表示し、前記コート面の３０％以上の面積を空白にしたことを特徴とする賞状等用の用紙。
【請求項７】
請求項１〜請求項６のいずれかに記載した賞状等用の用紙の一部を型抜き加工し、コート面に表示した印刷の模様、エンボス加工による凹凸模様若しくは金箔等の文字や模様の内のいずれか又はこれらの組み合わせに対して、
前記型抜き加工により得られた型抜切断部の形状を組み合わせることにより、人の姿若しくは顔、動物の姿若しくは顔、花、木、自然の風景、建造物又はマークのいずれかを表示し、型抜き加工後のコート面の３０％以上の面積を空白にしたことを特徴とする賞状等用の用紙。
【請求項８】
上記したいずれかの賞状等用の用紙に文字を印刷してなる賞状等を２枚の透明な板で挟んでおさめたことを特徴とする額。
【考案の詳細な説明】
【技術分野】
【０００１】
本考案は賞状、表彰状、感謝状、記念状、認定書又は証書（以下単に「賞状等」という。）などに使用する用紙に関し、人に賞状等を送る使用者が自ら賞状等に表示する文言をインクジェットプリンターを使用して印刷することにより、インテリアとして部屋に飾ることに適した賞状等を完成させることを可能にした賞状等用の用紙に関するものである。
【背景技術】
【０００２】
従来の書状等にはその外縁に単色の鳳凰模様の枠を印刷したものばかりで、カラフルな色彩を有し美的にデザインされた模様を有する賞状等はなかった。このため賞状等は引き出しや戸棚の中などにしまわれてしまい部屋に飾られることは少なかった。
最近では多くの事務所や家庭にインクジェットプリンターが普及しており、賞状等を発行する人がそれぞれ独自の表彰、感謝、記念等の言葉を印刷して賞状等を発行する工夫が見られるが、従来の賞状等では部屋に飾るインテリアとして適していなかった。
またインクジェットプリンターの印刷速度が速くなるに従い、普通の用紙ではインクの吸収速度が遅くて、鮮明な印刷ができない問題が生じるようになった。
そこでインクジェットプリンターで印刷することに適し、さらに多くの人々の個性や好みや生活スタイルにあったデザインを有する賞状等の用紙を考案したものである。
【考案の開示】
【考案が解決しようとする課題】
【０００３】
本考案の目的はカラフルな色彩を有し、美的にデザインされた模様を有する賞状等を提供することにある。
また、多くの人が各自のインクジェットプリンターを使用して独自の表彰、感謝、記念等の言葉を印刷して賞状等を発行することを可能にすると共に、それぞれの個性や好みや生活スタイルに適合したデザインの賞状等であって、インテリアとして部屋に飾ることに適した賞状等を提供することにある。  
さらにインテリアとして部屋に飾ることに適するべくデザインされた賞状等用の用紙であって、インクジェットプリンターの有する高速の印刷速度に適合した、インクの吸収速度を有する賞状等の用紙を提供することにある。
【課題を解決するための手段】
【０００４】
ベースとなる紙、フィルム又は布（以下単に「ベース紙等」という。）にコート面をコーティングしてなるインクジェット用紙のコート面の一部に、模様を印刷し、型押しして凹凸の模様を浮き出させる加工（以下単に「エンボス加工」という。）を施し、金箔、銀箔又はホログラム（以下単に「金箔等」という。）を転写することにより文字又は模様を表示し、又は用紙の一部を型抜き加工した賞状等の用紙であって、コート面の３０％以上の面積を空白にした賞状等用の用紙とする。
【考案の効果】
【０００５】
本考案によりカラフルな色彩を有し美的にデザインされた模様を有する賞状等を提供することができた。
また、多くの人が各自のインクジェットプリンターを使用して独自の表彰、感謝、記念等の言葉を印刷して賞状等を発行することを可能にすると共に、それぞれの個性や好みや生活スタイルに適合したデザインの賞状等であって、インテリアとして部屋に飾ることに適した賞状等を人に送ることを可能にすることができた。  
さらにインテリアとして適するようデザインされた賞状等用の用紙であって、インクジェットプリンターの有する高速の印刷速度に適合した、インクの吸収速度を有する賞状等の用紙を提供することができた。
【考案を実施するための最良の形態】
【０００６】
ベース紙等にコート面をコーティングしてなるインクジェット用紙の、コート面の一部に模様を印刷し、又はエンボス加工を施すことにより凹凸模様を設け、又は模様を印刷すると共にエンボス加工を施すことにより凹凸模様を設け、コート面の３０％以上の面積を空白にした賞状等用の用紙とする。
ベース紙等として紙、フィルム又は布などを使用することが考えられる、ベース紙等にインクジェット印刷するのではなくコート面にインクジェット印刷するので、ベース紙等としては紙と同様の柔軟性を有するものであればよく、インクを吸収する速度等については問題にならないからである。
インクジェット用紙としては、水に溶ける樹脂を薄くコーティングしてなるコート面として、インクの水分により溶けたコーティング層にインクが染みこむようにした、膨潤タイプのコート面を有するインクジェット用紙とすることが好ましい。
またインクジェット用紙として、微細な隙間を有する多孔タイプのコーティング層からなるコート面として、微細な穴の中にインクが吸い込まれるようにした、多孔タイプのコート面を有するインクジェット用紙とすることも好ましい。
用紙の外縁に色彩付きの模様の枠を印刷したり、用紙の外縁にエンボス加工による凹凸模様の枠を設けて、用紙の中央部を空白にすることが考えられる。また用紙の任意の縁に色彩付の模様の縁取やエンボス加工による凹凸模様の縁取を設けることも考えられる。
さらに用紙の上部や下部などの一部だけに、色彩付きの模様を印刷したりエンボス加工による凹凸模様を設けることも、斬新なデザインの賞状等を提供する上で好ましい。色彩付きの模様としては単色の色彩としても２色以上の色彩付きの模様としてもよいが、２色以上を使用した多色刷りの模様は豪華で見栄えが良く好ましい。
空白とは印刷の模様やエンボス加工による凹凸模様や金箔等によって表示される模様や文字などのない部分をいい、用紙の３０％以上の面積を空白にしたのは、インクジェットプリンターを使用して空白の部分に表彰、感謝、記念等の言葉を印刷するためである。
従って空白の部分は一カ所にまとまった部分において用紙の３０％以上の面積を有するものとし白色、クリーム色、薄い青色、薄い黄色、薄いピンク、薄い緑又は薄紫色などの比較的に薄い色合いとして文字を明確に認識できるようにすることが好ましい。
【０００７】
ベース紙等にコート面をコーティングしてなるインクジェット用紙の、コート面の一部に金箔等を転写することにより文字又は模様を表示し、コート面の３０％以上の面積を空白にした賞状等用の用紙とする。
金箔、銀箔、ホログラムなどを転写して表示すると豪華で見栄えの良い立派な賞状等の用紙とすることができるからである。金箔等によって文字を表示する方法と、文字を空白にして周りを金箔等で囲むことにより文字を表示する方法がある。
またベース紙等にコート面をコーティングしてなるインクジェット用紙のコート面の一部に、模様を印刷し又はエンボス加工を施すことにより凹凸模様を設け又は模様を印刷すると共にエンボス加工を施すことにより凹凸模様を設ける。さらに前記したいずれかに金箔等を転写することにより文字又は模様を表示し、コート面の３０％以上の面積を空白にした賞状等用の用紙とする。
印刷による模様の枠、模様の縁取、模様のいずれか、又はエンボス加工した凹凸模様の枠、凹凸模様の縁取、凹凸模様のいずれか、又はこれらの組み合わせに対してさらに金箔等の文字や模様を表示すると豪華絢爛たる賞状等用の用紙とすることができるからである。
また上記したいずれかの賞状等用の用紙の一部を型抜き加工し、コート面に表示した印刷の模様、エンボス加工による凹凸模様若しくは金箔等の文字や模様の内のいずれか又はこれらの組み合わせに対して、型抜き加工により得られた型抜切断部の形状を組み合わせることにより、人の姿若しくは顔、動物の姿若しくは顔、花、木、自然の風景、建造物又はマークのいずれかを表示し、型抜き加工後のコート面の３０％以上の面積を空白にした賞状等用の用紙とする。
コート面に表示した模様や文字などと、型抜切断部の形状とを組み合わせることにより、人や動物の姿や顔、花や木、山や波などの自然の風景、塔や建物などの建造物、校章や社章などのマークなどを表示すると、従来にない斬新な賞状等を得ることができて好ましいからである。
さらに上記したいずれかの賞状等用の用紙に文字を印刷してなる賞状等を２枚の透明な板で挟んでおさめた額とする。
２枚の透明な板で賞状等を挟むと従来にない見栄えの良い額ができるからである。透明な板としてはアクリルの板や塩化ビニールの板など合成樹脂の板を使用し、２枚の透明な板で賞状等を挟んだ後に４隅をボルトで止めたり、２枚の透明な板の外側からクリップで挟んで止めたりすることにより固定する。
【実施例１】
【０００８】
以下本考案の実施例１について図１及び図２に示し説明する。実施例１では紙からなるベース紙１ｂにコート面１ａをコーティングしてなるインクジェット用紙のコート面１ａに黄色の鳳凰模様の枠５を印刷する。
そしてコート面１ａを上にしてインクジェット用紙を台１０の上に置き、箔９ａとシート９ｂとからなるハクシート９を被せて、コート面１ａに箔９ａを接触させ、摂氏約１８０度に加熱した版８であって凹凸の版面８ａを有する版８を、ハクシート９のシート９ｂ側からインクジェット用紙に押し付けて、版面８ａの凸部に押された部分の箔９ａをインクジェット用紙に転写してなる賞状用の用紙１である。
実施例１の賞状用の用紙１はその外縁に印刷した黄色の鳳凰模様の枠５を有し、中央の上部に転写した金箔１１により「優」という空白の文字を表示したものである。
【実施例２】
【０００９】
続いて実施例２を図３に示して説明する。実施例２はインクジェット紙のコート面２ａの左右両サイドに多色刷りの和風絞模様の縁取６を印刷した賞状用の用紙２である。また、実施例１が金箔１１で「優」という空白の文字を表示したのに対し、実施例２では転写により「賞」という銀箔の文字１２を表示した点で異なる。
【実施例３】
【００１０】
続いて実施例３を図４に示して説明する。実施例３は紙からなるベース紙４ｂにコート面４ａをコーティングしてなるインクジェット用紙をコート面４ａを上にして台１０の上に置き、凹凸面１４ａを有する型１４をコート面４ａに押し付けることにより、記念状用の用紙４のコート面４ａにエンボス加工による凹凸模様枠を施す実施例である。
本実施例では、凹凸面１４ａを有する型１４をコート面４ａに押し付けることによりエンボス加工を施したが、ベース紙４ｂを上にしてインクジェット紙を台１０の上に置き、凹凸面１４ａを有する型１４をベース紙４ｂに押し付けることにより、コート面４ａに凹凸を与えてエンボス加工を施すことも可能である。
【実施例４】
【００１１】
続いて実施例４を図５に示して説明する。実施例４はコート面３ａに猫の模様７を印刷した後に、一部をプレスで打ち抜くことにより型抜切断部１３を設け、上部に型抜切断部１３と猫の模様７とで猫の顔を表した賞状等の用紙３としたものである。
さらに実施例４は、賞状用の用紙３を２枚の透明なアクリル板１５ａで挟み、４個のボルト１５ｂで止めることにより、猫の顔が明確にわかるように強調して展示することを可能にした額１５の実施例である。
【産業上の利用可能性】
【００１２】
本考案は賞状等用の用紙を製造販売する事務用品産業、印刷サービス産業、額縁などを製造販売する産業だけでなく、人を教育して卒業証書を発行したりセミナーを開いて終了証書を発行したりする教育産業や、スポーツ大会やのど自慢大会などのイベントを開催するイベント産業、さらには権利の登録サービスを行う産業などでも利用される。
【図面の簡単な説明】
【００１３】
【図１】賞状用の用紙の正面図である。
【図２】箔を転写する工程を表した断面図である。
【図３】賞状用の用紙の正面図である。
【図４】エンボス加工する工程を表した断面図である。
【図５】記念状用の用紙を額におさめた状態の正面図である。
【符号の説明】
【００１４】
１  ：賞状用の用紙          １ａ：コート面              １ｂ：ベース紙
２  ：賞状用の用紙          ２ａ：コート面              ３  ：賞状用の用紙
３ａ：コート面              ４  ：記念状用の用紙        ４ａ：コート面
４ｂ：ベース紙              ５  ：鳳凰模様の枠          ６  ：和風絞模様の縁取
７  ：猫の模様              ８  ：版                    ８ａ：版面
９  ：ハクシート            ９ａ：箔                    ９ｂ：シート
１０  ：台                  １１  ：金箔                １２  ：銀箔の文字
１３  ：型抜切断部          １４  ：型                  １４ａ：凹凸面
１５  ：額                  １５ａ：アクリル板          １５ｂ：ボルト
【図１】
0003129397.tif 000003
【図２】
0003129397.tif 000004
【図３】
0003129397.tif 000005
【図４】
0003129397.tif 000006
【図５】
0003129397.tif 000007
【手続補正書】
【提出日】平成18年11月16日(2006.11.16)
【手続補正１】
【補正対象書類名】実用新案登録請求の範囲
【補正対象項目名】全文
【補正方法】変更
【補正の内容】
【実用新案登録請求の範囲】
【請求項１】
ベースとなる紙、フィルム又は布（以下単に「ベース紙等」という。）にコート面をコーティングしてなるインクジェット用紙の、前記コート面の一部に模様を印刷し、又は前記コート面の一部に型押しして凹凸の模様を浮き出させる加工（以下単に「エンボス加工」という。）を施すことにより凹凸模様を設け、
さらに前記コート面の一部に金箔、銀箔又はホログラム（以下単に「金箔等」という。）を転写することにより文字又は模様を表示し、
前記コート面の３０％以上の面積を空白にしたことを特徴とする賞状、表彰状、感謝状、記念状、認定書又は証書（以下単に「賞状等」という。）用の用紙。
【請求項２】
ベース紙等にコート面をコーティングしてなるインクジェット用紙の、前記コート面の一部に２色以上の色彩を有する模様を印刷し、前記コート面の３０％以上の面積を空白にしたことを特徴とする賞状等用の用紙。
【請求項３】
ベース紙等にコート面をコーティングしてなるインクジェット用紙の、前記コート面の一部にエンボス加工を施すことにより凹凸模様を設け、前記コート面の３０％以上の面積を空白にしたことを特徴とする賞状等用の用紙。
【請求項４】
ベース紙等にコート面をコーティングしてなるインクジェット用紙の前記コート面の一部に、模様を印刷すると共にエンボス加工を施すことにより凹凸模様を設け、前記コート面の３０％以上の面積を空白にしたことを特徴とする賞状等用の用紙。
【請求項５】
ベース紙等にコート面をコーティングしてなるインクジェット用紙の、前記コート面の一部に金箔等を転写することにより文字又は模様を表示し、前記コート面の３０％以上の面積を空白にしたことを特徴とする賞状等用の用紙。
【請求項６】
ベース紙等にコート面をコーティングしてなるインクジェット用紙の前記コート面の一部に、模様を印刷すると共にエンボス加工を施すことにより凹凸模様を設け、さらに前記コート面の一部に金箔等を転写することにより文字又は模様を表示し、前記コート面の３０％以上の面積を空白にしたことを特徴とする賞状等用の用紙。
【請求項７】
請求項１〜請求項６のいずれかに記載した賞状等用の用紙の一部を型抜き加工し、コート面に表示した印刷の模様、エンボス加工による凹凸模様若しくは金箔等の文字や模様の内のいずれか又はこれらの組み合わせに対して、
前記型抜き加工により得られた型抜切断部の形状を組み合わせることにより、人の姿若しくは顔、動物の姿若しくは顔、花、木、自然の風景、建造物又はマークのいずれかを表示し、型抜き加工後のコート面の３０％以上の面積を空白にしたことを特徴とする賞状等用の用紙。
【請求項８】
請求項１〜請求項７のいずれかに記載した賞状等用の用紙に文字を印刷してなる賞状等を２枚の透明な板で挟んでおさめたことを特徴とする額。